(57)【特許請求の範囲】
【請求項１】
柄部の一端に匙部を有し、他端に把持部を有するスコップであって、
該把持部から軸心方向に向かって該匙部を見た場合において該匙部は該把持部に対して右回り又は左回りに１５°以上４５°以下の角度とされており、
前記匙部と前記把持部を所定の角度で固定する角度調整機構が設けられており、
前記匙部又は前記把持部は前記柄部に回動可能に嵌挿されており、該回動を任意の位置で止めることが可能な阻止部材が設けられており、
前記匙部又は前記把持部が前記柄部に嵌挿された嵌挿部には、軸心廻りに切れ込みが設けられており、該切れ込みに挿通された固定ネジによって前記匙部又は前記把持部が前記柄部に所定の角度で固定されているスコップ。
【請求項２】
前記切れ込みの幅に整合して挿入された回転防止部材が挿通されることにより固定ネジが緩むのを阻止していることを特徴とする請求項１に記載のスコップ。
【発明の詳細な説明】
【技術分野】
【０００１】
本発明はスコップに関し、作業者の利き手に合わせた形状とされているため、土砂等の移送作業において作業者の負担を軽減することができる。
【背景技術】
【０００２】
スコップによる土砂等の移送作業は、作業者の足腰に大きな負荷がかかる重労働となる。作業者への負担を少しでも和らげることを目的として、スコップの柄部に補助治具を設けて柄部に対する把持部の角度を可変としたり（特許文献１、２）、柄部先端の匙部の角度を可変としたり（特許文献３）することが提案されている。しかし、これらのスコップでは補助治具を取り付けなければならないため構造が複雑となり、さらには重量が増加するため、かえって作業者の負担を増すというおそれがあった。
【先行技術文献】
【特許文献】
【０００３】
【特許文献１】特開２０２０−６３５８８公報
【特許文献２】特開平９−１７０２４３公報
【特許文献３】特開２００３−２０６７３公報
【発明の概要】
【発明が解決しようとする課題】
【０００４】
本発明は、上記従来の問題に鑑みなされたものであり、構造が簡単であって軽量であり、作業者の負担を軽減できるスコップを提供することを課題としている。
【課題を解決するための手段】
【０００５】
従来のスコップの形状は左右対称であり、右利き専用とか、左利き専用とかの区別はされていない。本発明者は、スコップによる土砂等の移送作業において、右利きの人と左利きの人とでは、スコップの持ち方が異なることに注目し、右利きあるいは左利きの作業者にとって、使い易いスコップの形状というのはどのような形状であるかということについて検討を重ねた。
【０００６】
例えば、作業者がスコップを持って土砂を掬い、そのまま脇に投入するという作業を想定した場合、図１（ａ）に示すように、利き手が右手の作業者は右手でスコップ１の柄２を持ち、左手で把持部３を持った状態で体の左側にスコップ１を構える。そして、スコップ１の匙部４を土砂に突き刺し、土砂を掬い上げる。最後に、腰を右に捻りながら左右の手を右側に旋回させて体の右側に土砂を捨てる（図１ｂ）。
これに対して、左利きの人は、全く左右対称の動作を行う。すなわち、利き手が左手の作業者は、左手でスコップ１の柄２を持ち、右手で把持部３を持った状態で体の右側にスコップ１を構える。そして、スコップ１の匙部４を土砂に突き刺し、土砂を掬い上げる。最後に、腰を左に捻りながら左右の手を左側に旋回させて体の左側に土砂を捨てる。
【０００７】
こうした右利きと左利きにおけるスコップの持ち方の差や、そこから導き出される一連の動作を分析した結果、図２（ａ）に示すように、スコップ１における把持部３から軸心方向に向かって匙部４を見た場合において、右利きの作業者では匙部４が把持部２に対して右回りに１５°以上４５°以下（好ましくは２５°以上３５°以下）とされていると、上記課題を解決できることを見出した。一方、左利きの作業者では、図２（ｂ）に示すように、匙部４が把持部２に対して左回りに１５°以上４５°以下（好ましくは２５°以上３５°以下）とされていると、上記課題を解決できることを見出した。
すなわち、本発明のスコップは、柄部の一端に匙部を有し、他端に把持部を有するスコップであって、該把持部から軸心方向に向かって該匙部を見た場合において該匙部は該把持部に対して右回り又は左回りに１５°以上４５°以下の角度とされていることを特徴とする。
【０００８】
本発明のスコップでは、匙部と把持部を所定の角度で固定する角度調整機構を設けてもよい。こうすることにより、スコップの匙部と把持部の角度を作業者利き手や使い勝手に合わせることができる。
このような角度調整機構として、例えば、匙部又は把持部は柄部に回動可能に嵌挿されており、該回動を任意の位置で止めることが可能な阻止部材が設けられた構造が挙げられる。
また、匙部又は把持部が柄部に嵌挿された嵌挿部には、軸心廻りに切れ込みが設けられており、該切れ込みに挿通された固定ネジによって匙部又は把持部が柄部に所定の角度で固定されていてもよい。さらには、切れ込みの幅に整合して挿入された回転防止部材が挿通されることにより固定ネジが緩むのを阻止してもよい。こうであれば、柄部と把持部の結合部分がガタついたり緩んだりするのを確実に防止することができる。
【図面の簡単な説明】
【０００９】
【図１】作業者がスコップを持って土砂を掬い、脇に投入する作業を描いた模式図である。
【図２】スコップを把持部３から軸心方向に向かって該匙部４を見た場合の図である。
【図３】実施例１のスコップの平面図である。
【図４】実施例１のスコップの平面図の把持部１３と柄部１２の篏合部分の平面図である。
【図５】図４のV−V矢視断面図である。
【発明を実施するための形態】
【００１０】
以下、本発明を具体化した実施例について説明する。ただし、本発明はこの実施例に限定されるものではない。特許請求の範囲を逸脱せず、当業者が容易に想到できる範囲で種々の変形態様もこの発明に含まれる。
【００１１】
図３に実施例１のスコップ１１を示す。このスコップ１１は鋼管からなる柄部１２の一端に匙部１４が嵌合されており、他端には把持部１３が回動可能に挿入されている。把持部１３はスコップを持つための持手１３ａを有しており、持手１３ａの両端から二股に分かれた分岐部１３ｂの他端が一つに纏まって短鋼管１３ｃに溶接されている。図４及び図５（ａ）に示すように、短鋼管１３ｃには軸心廻りに９０°の範囲で切れ込み１３ｄが設けられている。切れ込み１３ｄには固定ネジ１５がワッシャー１５ａ及びゴムリング１５ｂを介して挿通され、把持部１３と匙部１４とが所定の角度となるように柄部１２にネジ止めされている。また、固定ネジ１５におけるゴムリング１５ｂと柄部１２との間には、切れ込み１３ｄの幅に整合する鋼鉄製の回転防止部材１６が挿通されており、固定ネジ１５が緩むのが阻止され、これにより把持部１３のガタつきを防止している。
なお、短鋼管１３ｃ，切れ込み１３ｄ，固定ネジ１５，ワッシャー１５ａ，ゴムリング１５ｂおよび回転防止部材１６が角度調整機構であり、阻止部材である。
【００１２】
以上のように構成された実施例のスコップでは、固定ネジ１５を緩め、匙部１４と把持部１３とが所定の角度になるように回動させた後（図５（ｂ）参照）、固定ネジ１５を締めて把持部１３を柄部１２に固定する。その場合において、利き手が右利きの人用のスコップとしたい場合には、把持部１３から軸心方向に向かって匙部１４を見た場合において、匙部１４は把持部１３に対して右回りに１５°以上４５°以下の角度とする。一方、利き手が左利きの人用のスコップとしたい場合には、把持部１３から軸心方向に向かって匙部１４を見た場合において、匙部１４は把持部１３に対して左回りに１５°以上４５°以下の角度とする。
【００１３】
（試  験）
把持部１３から軸心方向に向かって匙部１４を見た場合において匙部１３が把持部１４に対してなす角度（以下、単に「角度」と称する。）と、作業者が体の各部位に感ずる負担との関係を調べるために、次の試験を行った。
すなわち、匙部１３と把持部１４とを様々な角度に調整したスコップを作成し、作業者の前に置かれた土砂を掬って脇に捨てるという動作を３秒／回の速度で２０回行うという試験を行った後、腕、腰、肩及び脚への負担を次に示す四段階で評価した。
１・・・負担がかなり大きい
２・・・負担が大きい
３・・・負担が小さい
４・・・負担がかなり小さい
右利き用スコップについての結果を表１に、左利き用スコップについての評価の結果を表２に示す。
【００１４】
【表１】
0006940925.tif 000002
【００１５】
【表２】
0006940925.tif 000003
【００１６】
表１から、右利き用のスコップでは、角度が右回り方向に１５°以上４５°以下の範囲において、腕、腰、肩及び脚への負担が少なく、特に２５°〜３５°の場合に負担が最も少なくなることが分かった。
一方、左利き用のスコップでは、角度が左回り方向に１５°以上４５°以下の範囲において、腕、腰、肩及び脚への負担が少なく、特に２５°〜３５°の場合に負担が最も少なくなることが分かった。
以上の結果は、次の様に説明することができる。すなわち、利き手が右手の作業者は、右手で柄部１２を持ち、左手で持手１３ａを持った状態で体の左側にスコップ１１を構える（図１ａ参照）。そして、匙部４を土砂に突き刺し、土砂を掬い上げる。この時、土砂に匙部４を突き刺す力は、主に持手１３ａを持った左手によって軸心方向に押す力であり、この押す力が軸心方向に効果的に伝達されるためには、左手が最も押しやすい角度とする必要がある。右利きの人は角度が右回り方向に１５°〜４５°の範囲が最も押す力が伝わりやすく、特に２５°〜３５°が腕への負担が最も軽く感じた。最後に、腰を右に捻りながら左右の手を右側に旋回させて体の右側に土砂を捨てる（図１ｂ参照）。このとき、匙部４は軸心右周りに回転させて掬った土砂を捨てなければならないが、角度が右回り方向に１５°〜４５°とされていれば、回転させなければならない角度が小さくなり、腰や肩への負担が少なくなるのである。
一方、左利きの人は右利きの人と対称的な動作となるため、角度が左回り方向に１５°〜４５°の範囲で腕、腰および肩への負担が少なく、特に２５°〜３５°が腕への負担が最も軽く感じるのである。
【００１７】
なお、実施例１のスコップ１１は把持部１３と柄部１２の間に角度調整機構が設けられていたが、同様の角度調整機構を匙部１４と柄部１２の間に設けてもよい。
【符号の説明】
【００１８】
１１…スコップ，１２…柄部，１３…把持部（１３ａ…持手，１３ｂ…分岐部，１３ｃ…短鋼管，１３ｄ…切れ込み，１４…匙部，１５…固定ネジ，
１５ａ…ワッシャー，１５ｂ…ゴムリング，１６…回転防止部材
【要約】
【課題】構造が簡単であって軽量であり、作業者の負担を軽減できるスコップを提供すること。
【解決手段】スコップ１１は柄部１２の一端に匙部１４を有し、他端に把持部１３を有しており、把持部１３から軸心方向に向かって匙部１４を見た場合において匙部１４は把持部１３に対して右回り又は左回りに１５°以上４５°以下（特に好ましいのは２５°以上３５°以下）の角度とされている。把持部１３が柄部１２に嵌挿された嵌挿部には、軸心廻りに切れ込み１３ｄが設けられている。
【選択図】図２【図１】
0006940925.tif 000004
【図２】
0006940925.tif 000005
【図３】
0006940925.tif 000006
【図４】
0006940925.tif 000007
【図５】
0006940925.tif 000008